(57)【要約】【課題】インクリボンカートリッジの装着作業を容易に行うことが可能なプリンターを提案する。【解決手段】小切手処理装置（プリンター）１は、インクリボンカートリッジ１２が装着される装着部１３と、インクリボンカートリッジ１２の装着時に、装着部１３に向けてインクリボンカートリッジ１２の四方からインクリボンカートリッジ１２を案内するガイド部１７〜２０を備える。装着用開口２ｃに装着姿勢１２Ａで挿入されたインクリボンカートリッジ１２は、ガイド部１７およびガイド部１８との当接によって、前後方向の傾きが規制され、ガイド部１９およびガイド部２０との当接によって、その左右方向の傾きが変化しない状態で装着部１３に案内される。従って、装着用開口２ｃに挿入されたインクリボンカートリッジ１２は、下方へ押し込まれることにより、装着姿勢１２Ａに近い姿勢を保ちながら装着部１３に向かって移動して、装着部１３に装着される。【選択図】図２
2011201019.tif 000002
【特許請求の範囲】
【請求項１】
インクリボンカートリッジが所定の装着姿勢で装着される装着部と、
前記装着部に前記インクリボンカートリッジを装着するために当該装着部の上方に設けられた装着用開口と、
前記装着用開口に前記装着姿勢で挿入される前記インクリボンカートリッジを、前記装着部に案内するガイド部とを有し、
前記ガイド部は、前記インクリボンカートリッジの前面部分、後面部分、左側面部分および右側面部分にそれぞれ当接可能な前側ガイド部、後側ガイド部、左側ガイド部および右側ガイド部を備えており、
前記装着用開口に挿入された前記インクリボンカートリッジは、前後方向の傾きが前側ガイド部および後側ガイド部との当接によって規制され、左右方向の傾きが左側ガイド部および右側ガイド部との当接によって規制された状態で前記装着部に案内されることを特徴とするプリンター。
【請求項２】
請求項１において、
前記インクリボンカートリッジは、左側ガイド部および右側ガイド部との当接によって左右方向の傾きが変化しない状態で前記装着部に案内されることを特徴とするプリンター。
【請求項３】
請求項２において、
前記インクリボンカートリッジは、インクリボンが収納される直方体形状のリボン収納部と、前記インクリボンの繰出しおよび引込みを行うために前記リボン収納部の左右の側面に沿って前方に平行に突出している左右のアーム部とを備え、
前記ガイド部は、前記前側ガイド部が前記左右のアーム部の各前端面のうち少なくとも一方の前端面部分に当接可能であり、前記後側ガイド部が前記リボン収納部の後端面部分に当接可能であり、前記左側ガイド部が前記左のアーム部および前記リボン収納部の左端面部分に当接可能であり、前記右側ガイド部が前記右のアーム部および前記リボン収納部の右端面部分に当接可能に設けられていることを特徴とするプリンター。
【請求項４】
請求項１ないし３のうちのいずれかの項において、
プリンター前側ブロックと、
プリンター後側ブロックと、
前記プリンター前側ブロックおよび前記プリンター後側ブロックの間に形成されている凹部とを有し、
前記装着用開口は、前記凹部の上端開口であり、
前記装着部は、前記凹部の底に設けられていることを特徴とするプリンター。
【発明の詳細な説明】
【技術分野】
【０００１】
本発明は、小切手等の記録媒体にインクリボンのインクを付着させて印刷を行うプリンターに関する。
【背景技術】
【０００２】
従来、小切手に印刷されている磁気インク文字を読み取るとともに、小切手に対する印刷を行う複合処理装置が知られている（たとえば、特許文献１参照）。特許文献１に記載の複合処理装置は、磁気インク文字を読み取るための磁気ヘッドと、小切手の表面に印字を行うための表印字ヘッドと、小切手の裏面に印字を行うための裏印字ヘッドとを備えている。表印字ヘッドおよび裏印字ヘッドは、インクリボンのインクを小切手に転写するドットインパクト方式の印刷ヘッドであり、複合処理装置には、表印字ヘッド用のインクリボンカートリッジと、裏印字ヘッド用のインクリボンカートリッジとが装着されている。
【０００３】
同文献では、表印字ヘッドは装置筐体の前側に搭載されており、裏印字ヘッドは表印字ヘッドよりも後方の下側に搭載されている。この結果、裏印刷ヘッドは前後方向および上下方向において装置筐体の略中央部分に配置されている。
【先行技術文献】
【特許文献】
【０００４】
【特許文献１】特開２０１０−２０８０９号公報
【発明の概要】
【発明が解決しようとする課題】
【０００５】
インクリボンカートリッジを装着部に装着する際には、インクリボンカートリッジから引き出されて露出しているインクリボンの露出部分を印刷ヘッドとプラテンとの間に挿入しなければならない。このため、プリンターの内部を覗き込んで、インクリボンカートリッジの位置および姿勢を確認しながら装着しないと、インクリボンの露出部分が印刷ヘッドと干渉し、インクリボンカートリッジを適切に装着できない場合が生じうる。
【０００６】
ここで、特許文献１の複合処理装置では、装置後端側を中心として上方向へ回動可能な開閉カバーが装置筐体に取り付けられており、開閉カバーを開くと裏印字ヘッド用のインクリボンカートリッジを装着するための装着用開口が露出して、裏印字ヘッド用のインクリボンカートリッジの装着が可能となる。しかし、同文献では、裏印字ヘッドが装置筐体の前後方向および上下方向の中央部分に配置されているので、インクリボンカートリッジの装着部も装置筐体の前後方向および上下方向の中央部分に構成されている。このため、装着用開口からプリンターの内側の装着部を覗き込んでインクリボンカートリッジの位置及び姿勢を確認することが容易ではなく、インクリボンカートリッジを装着する際の作業性が低下している。
【０００７】
そこで、本発明の課題は、インクリボンカートリッジの装着作業を容易に行うことが可能なプリンターを提案することにある。
【課題を解決するための手段】
【０００８】
上記の課題を解決するため、本発明のプリンターは、
インクリボンカートリッジが所定の装着姿勢で装着される装着部と、
前記装着部に前記インクリボンカートリッジを装着するために当該装着部の上方に設けられた装着用開口と、
前記装着用開口に前記装着姿勢で挿入される前記インクリボンカートリッジを、前記装着部に案内するガイド部とを有し、
前記ガイド部は、前記インクリボンカートリッジの前面部分、後面部分、左側面部分および右側面部分にそれぞれ当接可能な前側ガイド部、後側ガイド部、左側ガイド部および右側ガイド部を備えており、
前記装着用開口に挿入された前記インクリボンカートリッジは、前後方向の傾きが前側ガイド部および後側ガイド部との当接によって規制され、左右方向の傾きが左側ガイド部および右側ガイド部との当接によって規制された状態で、前記装着部に案内されることを特徴とする。
【０００９】
本発明のプリンターでは、インクリボンカートリッジを装着部へと案内するガイド部が、インクリボンカートリッジの四方からインクリボンカートリッジに当接し、インクリボンカートリッジの前後方向および左右方向の傾きを規制しながら装着部へと案内する。この結果、装着用開口に装着姿勢で挿入されるインクリボンカートリッジを下方の装着部に向かって押し込むだけで、このインクリボンカートリッジを所定の装着姿勢で装着部に装着できる。プリンターの内部を覗き込んでインクリボンカートリッジの位置および姿勢を修正する必要がないので、インクリボンカートリッジの装着作業が容易となる。また、インクリボンカートリッジの装着時に、ユーザーが予期せぬ箇所に触れるのを防止することが可能になる。
【００１０】
本発明において、インクリボンカートリッジを上方から装着部に向かって押し込む際に、インクリボンカートリッジの姿勢を装着姿勢に近い状態に維持するためには、前記インクリボンカートリッジは、左側ガイド部および右側ガイド部との当接によって左右方向の傾きが変化しない状態で前記装着部に案内されることが望ましい。
【００１１】
本発明において、インクリボンカートリッジを四方から案内するガイド部を形成するためには、前記インクリボンカートリッジは、インクリボンが収納される直方体形状のリボン収納部と、前記インクリボンの繰出しおよび引込みを行うために前記リボン収納部の左右の側面に沿って前方に平行に突出している左右のアーム部とを備え、前記ガイド部は、前記前側ガイド部が前記左右のアーム部の各前端面のうち少なくとも一方の前端面部分に当接可能であり、前記後側ガイド部が前記リボン収納部の後端面部分に当接可能であり、前記左側ガイド部が前記左のアーム部および前記リボン収納部の左端面部分に当接可能であり、前記右側ガイド部が前記右のアーム部および前記リボン収納部の右端面部分に当接可能に設けられていることが望ましい。
【００１２】
本発明において、プリンター前側ブロックと、プリンター後側ブロックと、前記プリンター前側ブロックおよび前記プリンター後側ブロックの間に形成されている凹部とを有し、前記装着用開口は、前記凹部の上端開口であり、前記装着部は、前記凹部の底に設けられていることが望ましい。このような構成のプリンターでは、プリンター前側ブロックとプリンター後側ブロックの間に形成されている凹部の底に設けられた装着部を、凹部の上端開口（装着用開口）から覗き込みながらインクリボンカートリッジの位置及び姿勢を確認することが容易ではない。しかし、本発明によれば、ガイド部が設けられているので、凹部の上端開口に装着姿勢で挿入されるインクリボンカートリッジを下方の装着部に向かって押し込むだけで、このインクリボンカートリッジを所定の装着姿勢で装着部に装着できる。
【発明の効果】
【００１３】
本発明のプリンターでは、インクリボンカートリッジを装着部へと案内するガイド部が、インクリボンカートリッジの四方からインクリボンカートリッジに当接し、インクリボンカートリッジの前後方向および左右方向の傾きを規制しながら装着部へと案内する。この結果、装着用開口に装着姿勢で挿入されるインクリボンカートリッジを下方の装着部に向かって押し込むだけで、インクリボンカートリッジを所定の装着姿勢で装着部に装着できる。プリンターの内部を覗き込んでインクリボンカートリッジの位置および姿勢を修正する必要がないので、インクリボンカートリッジの装着作業が容易となる。また、インクリボンカートリッジの装着時に、ユーザーが予期せぬ箇所に触れるのを防止することが可能になる。
【図面の簡単な説明】
【００１４】
【図１】本発明の実施の形態にかかる小切手処理装置の開閉カバーを開けた状態を示す平面図。
【図２】小切手処理装置の開閉カバーを開けた状態を示す斜視図。
【図３】小切手処理装置の開閉カバーを開けた状態を他の方向から示す斜視図。
【図４】インクリボンカートリッジの斜視図。
【図５】小切手処理装置からリボンカートリッジを取り外した状態を示す斜視図。
【図６】小切手処理装置からリボンカートリッジを取り外した状態を示す側面図。
【図７】装着部に装着されるリボンカートリッジの状態を説明するための側面図。
【図８】装着部に装着されるリボンカートリッジの状態を説明するための側面図。
【発明を実施するための形態】
【００１５】
以下、図面を参照しながら、本発明を適用したプリンターとして小切手処理装置を説明する。
【００１６】
（小切手処理装置の概略構成）
図１は、本発明の実施の形態にかかる小切手処理装置の開閉カバーを開けた状態を示す平面図である。図２は、図１に示す小切手処理装置の開閉カバーを開けた状態を示す斜視図である。図３は、図１に示す小切手処理装置の開閉カバーを開けた状態を他の方向から示す斜視図である。図４は、図１に示すインクリボンカートリッジの斜視図である。
【００１７】
小切手処理装置（プリンター）１は、本体ケース２と、装置の前面側に配置される前面カバー３と、装置の後面側に配置される開閉カバー４とを備えている。前面カバー３および開閉カバー４は、本体ケース２の上面側に配置されている。本体ケース２の前面の左側寄りの部分には、小切手（図示省略）を挿入するための媒体挿入口５が装置幅方向に沿って所定幅で設けられている。本体ケース２の上面において、前面カバー３と開閉カバー４との境界部分には、処理された小切手が排出される媒体排出口６が装置幅方向に沿って所定幅で設けられている。媒体挿入口５と媒体排出口６との間には、小切手が搬送される媒体搬送路７が形成されている。媒体搬送路７は、媒体挿入口５から装置後方に延びた後に上方へ湾曲して延びるように形成されている。媒体搬送路７は、本体ケース２の左側面において開口している。本体ケース２において媒体搬送路７と前面カバー３とによって区画されている前側部分は、小切手に対して表印刷を行なうための印刷ヘッドや小切手に印刷された磁気インク文字に読み取りを行なうための磁気ヘッドなどが搭載されたプリンター前側ブロック８となっている。
【００１８】
本体ケース２は、図１に示すように、小切手処理装置１の右側面を構成する右側面部２ａと、小切手処理装置１の左側面を構成する左側面部２ｂとを備えている。右側面部２ａには、各種の操作スイッチ９が配置されている。開閉カバー４は、後端部分を中心として上方向へ回動可能な状態で本体ケース２に取り付けられている。図３に示すように、開閉カバー４の上面の右端側には、操作スイッチ９に対応するように、操作パネル１０が設けられている。なお、図２、図３では、左側面部２ｂの図示を省略している。
【００１９】
媒体搬送路７は、媒体挿入口５から装置後方に延びる第１搬送路部分７ａと、第１搬送路部分７ａの後端から上方に湾曲する湾曲搬送路部分７ｂと、湾曲搬送路部分７ｂの上端から上方へ延びる第２搬送路部分７ｃとを備えている。
【００２０】
第１搬送路部分７ａには、小切手に印刷された磁気インク文字を読み取るための磁気ヘッド（図示省略）が設置されている。第２搬送路部分７ｃの上端部分には、小切手の表面に印刷を行う印刷ヘッド（図示省略）が設置されている。この印刷ヘッドは、インクリボンに記録ワイヤーを打ち当ててインクリボンのインクを小切手に付着させて印刷を行うシリアル・インパクト・ドット・マトリクス（ＳＩＤＭ）印刷ヘッドであり、第２搬送路部分７ｃよりも装置前方に配置されている。
【００２１】
第２搬送路部分７ｃの下側部分には、小切手の裏面に印刷を行う印刷ヘッド１１が設置されている。印刷ヘッド１１は、小切手の表面に印刷を行う印刷ヘッドと同様にＳＩＤＭ印刷ヘッドであり、第２搬送路部分７ｃよりも装置後方に配置されている。第２搬送路部分７ｃよりも装置後方には、印刷ヘッド１１の設置位置に対応するように、インクリボンカートリッジ１２が装着される装着部１３が形成されている。
【００２２】
ここで、開閉カバー４を上方に起こした状態では、図１に示すように、第２搬送路部分７ｃの装置後側のプリンター後側ブロック１４が装置後方に移動して、凹部１５が形成される。また、この凹部１５が露出した状態となる。ここで、凹部１５の上端開口は、装着部１３にインクリボンカートリッジ１２を装着するための装着用開口２ｃであり、凹部１５の底が装着部１３となっている。装着用開口２ｃは、装着部１３の上方に位置している。
【００２３】
インクリボンカートリッジ１２は、図４に示すように、インクリボン１６が収納される扁平な略直方体状のリボン収納部１２ａと、インクリボン１６の繰出しおよび引込みを行うための２本のアーム部１２ｂ、１２ｃを備えている。２本のアーム部１２ｂ、１２ｃは、平板形状をしており、リボン収納部１２ａの短手方向に向かって、リボン収納部１２ａの長手方向の両端面に沿って平行に突出している。すなわち、右側のアーム部１２ｂは、リボン収納部１２ａの前方に向かって、リボン収納部１２ａの右端面１２ｄに沿って突出している。左側のアーム部１２ｃは、リボン収納部１２ａの前方に向かって、リボン収納部１２ａの左端面１２ｅに沿って、右側のアーム部１２ｂと平行に突出している。２本のアーム部１２ｂ、１２ｃの間には、インクリボン１６が架け渡されている。
【００２４】
２本のアーム部１２ｂの前端面１２ｆはインクリボンカートリッジ１２の前端面であり、リボン収納部１２ａの後端面１２ｇはインクリボンカートリッジ１２の後端面である。また、右側のアーム部１２ｂの後端部分の右端面およびリボン収納部１２ａの右端面１２ｄによってインクリボンカートリッジ１２の右端面１２ｈが構成されており、左側のアーム部１２ｃの後端部分の左端面とおよびリボン収納部１２ａの左端面１２ｅによってインクリボンカートリッジ１２の左端面１２ｉが構成されている。また、インクリボンカートリッジ１２が小切手処理装置１に装着された状態では、２本のアーム部１２ｂの間に形成される空間に、印刷ヘッド１１が配置されており、２本のアーム部１２ｂ、１２ｃに架け渡されたインクリボン１６の露出部分は、印刷ヘッド１１よりも前方に位置している。装着部１３に装着されたインクリボンカートリッジ１２の装着姿勢１２Ａは、装着部１３の上面と平行な姿勢である。
【００２５】
（ガイド部の構成）
図５は、図１に示す小切手処理装置からインクリボンカートリッジを取り外した状態を示す斜視図である。図６は、図１に示す小切手処理装置からインクリボンカートリッジを取り外した状態を示す側面図である。図７、図８は、図１に示す装着部に装着されるインクリボンカートリッジの状態を説明するための側面図である。なお、図５〜図８では、便宜上、左側面部２ｂの図示を省略している。
【００２６】
インクリボンカートリッジ１２は、開閉カバー４が開いている状態で、凹部１５の上端開口、すなわち、装着用開口２ｃに装着姿勢１２Ａで挿入され、手動によって下方の装着部１３に向かって押し込まれることにより装着される。本形態の小切手処理装置１は、装着部１３へのインクリボンカートリッジ１２の装着時に、装着部１３の上方から装着部１３に向けてインクリボンカートリッジ１２を案内するガイド部１７〜２０（図１参照）を備えている。ガイド部１７〜２０は凹部１５の内周側面に設けられている。
【００２７】
ガイド部（前側ガイド部）１７は、インクリボンカートリッジ１２の前端面１２ｆ、すなわち、２本のアーム部１２ｂ、１２ｃのそれぞれの前端面１２ｆに当接可能となっている。ガイド部１７は、図３等に示すように、第２搬送路部分７ｃを構成する搬送ガイド２１の左右の両端部分の装置後方側の面に形成されている。ガイド部１７は、下側に向かうにしたがって前方向へ傾斜する平面状に形成されている。
【００２８】
ガイド部（後側ガイド部）１８は、インクリボンカートリッジ１２の後端面１２ｇの右端側の一部に当接可能となっている。すなわち、ガイド部１８は、図５に示すように、本体ケース２の右側面部２ａから左方向へ突出する突出部２２の装置前側の面に形成されている。このガイド部１８は、上側から順番に形成される平面状の３つの平面部１８ａ〜１８ｃによって構成されている。平面部１８ａは、下側に向かうにしたがって前方向へ傾斜する平面状に形成されている。平面部１８ｂは、下側に向かうにしたがって前方向へ傾斜する平面状に形成されている。平面部１８ｂの傾斜角度は、平面部１８ａの傾斜角度よりも緩やかになっている。平面部１８ｃは、上下方向と略平行に形成されている。
【００２９】
ここで、装着用開口２ｃに装着姿勢１２Ａで挿入されたインクリボンカートリッジ１２は、ガイド部１７およびガイド部１８との当接によって、その前後方向の傾きが規制された状態で案内される。
【００３０】
ガイド部（右側ガイド部）１９は、図１に示すように、本体ケース２の右側面部２ａの内側面の一部であり、インクリボンカートリッジ１２の右端面１２ｈの全体に当接可能となっている。
【００３１】
ガイド部（左側ガイド部）２０は、図１に示すように、本体ケース２の左側面部２ｂの内側面の一部であり、インクリボンカートリッジ１２の左端面１２ｉの全体に当接可能となっている。
【００３２】
ここで、装着用開口２ｃに装着姿勢１２Ａで挿入されたインクリボンカートリッジ１２は、ガイド部１９およびガイド部２０との当接によって、その左右方向の傾きが変化しない状態で案内される。
【００３３】
装着部１３にインクリボンカートリッジ１２を装着する際には、ユーザーは、インクリボンカートリッジ１２を、装着部１３に装着されている装着姿勢１２Ａで装着用開口２ｃに挿入する。（図７（Ａ）参照）。また、この状態で、ユーザーがインクリボンカートリッジ１２の上面を手動で押し込む。すると、図７（Ｂ）、図８に示すように、インクリボンカートリッジ１２は、ガイド部１７〜２０によって、装着姿勢１２Ａと近い姿勢を保ちながら装着部１３に案内されて、装着部１３に装着される。
【００３４】
（本形態の効果）
以上説明したように、本形態では、ガイド部１７〜２０は、インクリボンカートリッジ１２の四方からインクリボンカートリッジ１２に当接可能となっており、インクリボンカートリッジ１２の前後方向および左右方向の傾きを規制しながら当該インクリボンカートリッジ１２を装着部１３へと案内する。この結果、装着用開口２ｃに装着姿勢１２Ａで挿入されるインクリボンカートリッジ１２を下方に向かって押し込むだけで、インクリボンカートリッジ１２を所定の装着姿勢１２Ａで装着部１３に装着できる。
【００３５】
すなわち、本形態の小切手処理装置１では、インクリボンカートリッジ１２を装着しようとする際に、凹部１５の前方にはプリンター前側ブロック８が位置しており、凹部１５の後方にはプリンター後側ブロック１４が位置しているので、凹部１５の上端開口（装着用開口２ｃ）から凹部１５の底である装着部１３を覗き込みながらインクリボンカートリッジ１２の位置及び姿勢を確認することが容易ではない。しかし、凹部１５の内周側面にガイド部１７〜２０が設けられているので、凹部１５の上端開口に装着姿勢で挿入されるインクリボンカートリッジ１２を凹部１５の底に向かって押し込むだけで、このインクリボンカートリッジ１２を所定の装着姿勢で装着部１３に装着できる。従って、小切手処理装置１の内部を覗き込んでインクリボンカートリッジ１２の位置および姿勢を修正する必要がなく、インクリボンカートリッジ１２の装着作業が容易となる。
【００３６】
また、本形態では、装着用開口２ｃに装着姿勢１２Ａで挿入されるインクリボンカートリッジ１２を下方に向かって押し込むだけで、インクリボンカートリッジ１２を所定の装着姿勢１２Ａで装着部１３に装着できるので、インクリボンカートリッジ１２の装着時に、ユーザーが予期せぬ箇所に触れるのを防止することが可能になる。
【００３７】
さらに、本形態では、装着用開口２ｃに装着姿勢１２Ａで挿入されたインクリボンカートリッジ１２は、ガイド部１９およびガイド部２０との当接によって、その左右方向の傾きが変化しない状態で案内される。この結果、インクリボンカートリッジ１２を上方から装着部１３に向かって押し込む際に、インクリボンカートリッジ１２の姿勢を装着姿勢１２Ａに近い状態に維持することが容易となる。従って、インクリボンカートリッジ１２は装着部１３に確実に装着される。
【００３８】
（他の実施の形態）
上述した形態では、ガイド部１８は、インクリボンカートリッジ１２の後端面１２ｇの右端側の一部を案内しているが、後端面１２ｇの全体を案内するようにガイド部１８が構成されても良い。また、上述した形態では、ガイド部１７は、２本のアーム部１２ｂ、１２ｃの前端面１２ｆに当接可能とされているが、アーム部１２ｂ、１２ｃのうちのいずれか一方の前端面１２ｆに当接可能に構成してもよい。同様に、上述した形態では、ガイド部１９、２０は、インクリボンカートリッジ１２の右端面１２ｈ、左端面１２ｉの全面と当接可能に形成されているが、右端面１２ｈ、左端面１２ｉの一部に当接可能に構成されていても良い。
【００３９】
上述した形態では、印刷ヘッド１１は、ＳＩＤＭ印刷ヘッドであるが、印刷ヘッド１１は、サーマルヘッドでもあっても良い。また、上述した形態では、本発明の構成が適用されるプリンターは、磁気ヘッドと２個の印刷ヘッドを備える小切手処理装置１であるが、本発明の構成は、インクリボンカートリッジ１２が装着されて使用される各種のプリンターに適用可能である。
【符号の説明】
【００４０】
１・小切手処理装置（プリンター）、２・本体ケース、２ａ・右側面部、２ｂ・左側面部、２ｃ・装着用開口、３・前面カバー、４・開閉カバー、５・媒体挿入口、６・媒体排出口、７・媒体搬送路、７ａ・第１搬送路部分、７ｂ・湾曲搬送路部分、７ｃ・第２搬送路部分、８・プリンター前側ブロック、９・操作スイッチ、１０・操作パネル、１１・印刷ヘッド、１２・インクリボンカートリッジ、１２ａ・リボン収納部、１２ｂ・右側のアーム部、１２ｃ・左側のアーム部、１２ｄ・リボン収納部の右端面、１２ｅ・リボン収納部の左端面、１２ｆ・前端面、１２ｇ・リボン収納部の後端面、１２ｈ・インクリボンカートリッジの右端面、１２ｉ・インクリボンカートリッジの左端面、１２Ａ・装着姿勢、１３・装着部、１４・プリンター後側ブロック、１５・凹部、１６・インクリボン、１７・ガイド部（前側ガイド部）、１８・ガイド部（後側ガイド部）、１８ａ・平面部、１８ｂ・平面部、１８ｃ・平面部、１９・ガイド部（右側ガイド部）、２０・ガイド部（左側ガイド部）、２１・搬送ガイド、２２・突出部
【図１】
2011201019.tif 000003
【図２】
2011201019.tif 000004
【図３】
2011201019.tif 000005
【図４】
2011201019.tif 000006
【図５】
2011201019.tif 000007
【図６】
2011201019.tif 000008
【図７】
2011201019.tif 000009
【図８】
2011201019.tif 000010